(57)【特許請求の範囲】
【請求項１】
遊技に関する情報を記憶する記憶手段が設けられた制御基板を備える遊技機において、
前記制御基板に設けた第１コネクタに電気的に接続され、外部から供給される電源を該制御基板に供給する電源供給手段と、
前記電源供給手段から制御基板に供給される電源が停電検知電圧以下になったときに該制御基板に電源断信号を出力する電源断監視手段と、
前記電源供給手段および制御基板とは別に設けられると共に、該制御基板に設けた第２コネクタに電気的に接続され、前記電源供給手段に電源が供給されない電源断状態となったときに、前記記憶手段に対して記憶されている情報を当該記憶手段に保持するためのバックアップ用電源を供給するバックアップ手段とを備え、
前記制御基板は、前記電源断信号を契機として、前記記憶手段に記憶されている情報をバックアップ情報として当該記憶手段に記憶するバックアップ処理を行うよう設定されると共に、前記電源断状態となった後に前記電源供給手段から電源供給が開始された時には前記記憶手段に記憶されている前記バックアップ情報に基づいて電源断状態となる前の遊技状態に復帰させる復帰処理を行うよう構成され、
前記第２コネクタに電気的に接続される前記バックアップ手段としての蓄電手段のみが実装されたバックアップ基板と、
前記バックアップ基板が収納されるバックアップ基板ケースとを備え、
前記バックアップ基板を収納した前記バックアップ基板ケースは、基板取付部材に設けた取着部に着脱自在に取り付けられるよう構成した
ことを特徴とする遊技機。
【請求項２】
前記バックアップ基板ケースは、一方に開口する箱状に形成されると共に、対向する一対の壁に内外方向に弾性変形可能な係合爪が設けられ、
前記バックアップ基板は、前記バックアップ基板ケースの開口と対向する壁側に蓄電手段の実装面を向けた姿勢で、前記一対の係合爪によってバックアップ基板ケースに着脱自在に保持されるよう構成した請求項１記載の遊技機。
【請求項３】
前側に開口する筐体に、前記基板取付部材の一側が回動自在に枢支されて、該基板取付部材は、前記筐体の収納空間に収納された収納位置と、該収納空間の前側に出された非収納位置との間を回動するよう構成され、
前記基板取付部材に対して前記制御基板および前記バックアップ基板ケースは、該基板取付部材を非収納位置に回動した状態で筐体の前側に露出する面に取り付けられ、
前記バックアップ基板に設けられて前記蓄電手段に電気的に接続されるバックアップ基板側コネクタは、前記第２コネクタに配線を介して電気的に接続されるよう構成した請求項１または２記載の遊技機。
【発明の詳細な説明】
【技術分野】
【０００１】
この発明は、遊技に関する制御を実行する制御基板を備えた遊技機に関するものである。
【背景技術】
【０００２】
従来から、遊技機としてメダル(遊技媒体)を用いたスロットマシンが知られている。スロットマシンは、外周部に識別情報としての複数種類の図柄が表示された複数のリールを備え、メダルの投入または投入ボタン(ベットボタン)の操作後に、スタートレバーの操作を契機にリールの回転が開始するよう構成されている。そして、各リールに対応して設けたストップボタンが操作されることに基づいて各リールの回転を停止し、全てのリールの回転を停止したときに予め設定された入賞役に対応する図柄の組合わせが入賞ライン上に揃った場合に、該入賞役に応じて所定枚数のメダルが払い出されるよう構成されている。
【０００３】
前記スロットマシンは、前記スタートレバーの操作を契機に入賞役の抽選を行うと共に、入賞役抽選の結果に応じて前記ストップボタンの操作に基づいて各リールを停止制御するメイン制御基板や、スロットマシンに設けられた演出表示装置や可動装置等の演出装置を制御するサブ制御基板等の複数の制御基板を備えている。これらの各制御基板は、外部から所定電圧の元電源が供給される電源基板に配線を介して電気的に接続されており、各制御基板には電源基板から必要な電圧の電源が配線を介して供給されるよう構成されている。
【０００４】
前記スロットマシンでは、遊技中において停電が発生すると、前記各制御基板に実装されているＲＡＭ等の記憶手段に記憶されている情報が消えてしまい、遊技者にとって不利益になると共に、遊技店と遊技者との間でのトラブルの発生原因となる。そこで、電源基板にバックアップ用電源手段を設け、停電発生時にはバックアップ用電源手段から記憶手段(制御基板)にバックアップ用電源を供給することで、該記憶手段に記憶されている情報が消えるのを防止するようにした提案がなされている(例えば、特許文献１参照)。
【先行技術文献】
【特許文献】
【０００５】
【特許文献１】特開２００５−３３４４０６号公報
【発明の概要】
【発明が解決しようとする課題】
【０００６】
特許文献１のスロットマシンでは、通常時(停電時以外)に制御基板に電源を供給する電源用配線と、停電時に制御基板にバックアップ用電源を供給する電源用配線とが纏められると共に単一の配線側コネクタに接続されて、該配線側コネクタが電源基板に設けられた単一の電源用の基板側コネクタに接続されている。このため、制御基板等のメンテナンスに際し、電源基板と制御基板とを接続する電源用配線の配線側コネクタを基板側コネクタから抜き外してしまうと、制御基板にバックアップ用電源が供給されない状態となってしまい、メンテナンス中に前記記憶手段に記憶されている情報が消えてしまう問題を招いていた。
【０００７】
すなわち本発明は、従来の技術に係る遊技機に内在する前記問題に鑑み、これらを好適に解決するべく提案されたものであって、記憶手段に記憶されている情報が消えるのを防止し得る遊技機を提供することを目的とする。
【課題を解決するための手段】
【０００８】
前記課題を克服し、所期の目的を達成するため、本願の請求項１に係る発明は、
遊技に関する情報を記憶する記憶手段(45c)が設けられた制御基板(45)を備える遊技機において、
前記制御基板(45)に設けた第１コネクタ(50a)に電気的に接続され、外部から供給される電源を該制御基板(45)に供給する電源供給手段(61)と、
前記電源供給手段(61)から制御基板(45)に供給される電源が停電検知電圧以下になったときに該制御基板(45)に電源断信号を出力する電源断監視手段(69)と、
前記電源供給手段(61)および制御基板(45)とは別に設けられると共に、該制御基板(45)に設けた第２コネクタ(50b)に電気的に接続され、前記電源供給手段(61)に電源が供給されない電源断状態となったときに、前記記憶手段(45c)に対して記憶されている情報を当該記憶手段(45c)に保持するためのバックアップ用電源を供給するバックアップ手段(72)とを備え、
前記制御基板(45)は、前記電源断信号を契機として、前記記憶手段(45c)に記憶されている情報をバックアップ情報として当該記憶手段(45c)に記憶するバックアップ処理を行うよう設定されると共に、前記電源断状態となった後に前記電源供給手段(61)から電源供給が開始された時には前記記憶手段(45c)に記憶されている前記バックアップ情報に基づいて電源断状態となる前の遊技状態に復帰させる復帰処理を行うよう構成され、
前記第２コネクタ(50b)に電気的に接続される前記バックアップ手段としての蓄電手段(72)のみが実装されたバックアップ基板(73)と、
前記バックアップ基板(73)が収納されるバックアップ基板ケース(74)とを備え、
前記バックアップ基板(73)を収納した前記バックアップ基板ケース(74)は、基板取付部材(44)に設けた取着部(79)に着脱自在に取り付けられるよう構成したことを要旨とする。
【０００９】
請求項１に係る発明によれば、バックアップ手段と制御基板とを電源供給手段とは独立したコネクタによって電気的に接続するよう構成したので、電源供給手段と制御基板との電気的な接続を切っても、バックアップ手段から制御基板にバックアップ用電源を供給することができる。すなわち、メンテナンス等に際して電源供給手段と制御基板との電気的な接続を切っても、制御基板の記憶手段に記憶されている情報を保持することができる。
【００１０】
請求項２に係る発明では、前記バックアップ基板ケース(74)は、一方に開口する箱状に形成されると共に、対向する一対の壁に内外方向に弾性変形可能な係合爪(75,75)が設けられ、
前記バックアップ基板(73)は、前記バックアップ基板ケース(74)の開口と対向する壁側に蓄電手段(72)の実装面を向けた姿勢で、前記一対の係合爪(75,75)によってバックアップ基板ケース(74)に着脱自在に保持されるよう構成したことを要旨とする。
本願には、次のような技術的思想が含まれている。
前記第１コネクタ(50a)および第２コネクタ(50b)は、前記制御基板(45)に並んで配置されていることを要旨とする。
この構成によれば、制御基板における記憶手段に対する電源供給用の回路構成を簡略化することができる。
【００１１】
請求項３に係る発明では、前側に開口する筐体(11)に、前記基板取付部材(44)の一側が回動自在に枢支されて、該基板取付部材(44)は、前記筐体(11)の収納空間(20)に収納された収納位置と、該収納空間(20)の前側に出された非収納位置との間を回動するよう構成され、
前記基板取付部材(44)に対して前記制御基板(45)および前記バックアップ基板ケース(74)は、該基板取付部材(44)を非収納位置に回動した状態で筐体(11)の前側に露出する面に取り付けられ、
前記バックアップ基板(73)に設けられて前記蓄電手段(72)に電気的に接続されるバックアップ基板側コネクタ(73a)は、前記第２コネクタ(50b)に配線(84)を介して電気的に接続されるよう構成したことを要旨とする。
請求項３に係る発明によれば、非収納位置に回動した基板取付部材における筐体の前側に露出する面に、制御基板とバックアップ基板を取り付けているので、筐体に対して基板取付部材を非収納位置に回動した状態で、両基板が筐体の前側に露出し、両基板に対する配線の接続状態を簡単に確認することができる。
本願には、次のような技術的思想が含まれている。
前記電源供給手段(61)が配設される本体(11)に一側が回動自在に枢支され、前記制御基板(45)が配設される基板取付部材(44)を備え、
前記電源供給手段(61)に配線(65)を介して接続する前記第１コネクタ(50a)は、前記制御基板(45)における前記基板取付部材(44)の枢支側の端部に位置するように設けられることを要旨とする。
この構成によれば、基板取付部材を回動する際の配線の変位量を小さくし得るので、配線の引き回し処理が容易となる。
【００１２】
本願には、次のような技術的思想が含まれている。
前記バックアップ手段(72)は、前記基板取付部材(44)に配設されていることを要旨とする。
この構成によれば、バックアップ手段が制御基板に近接するので、バックアップ手段と制御基板との配線の接続状態の確認が容易である。
【発明の効果】
【００１３】
本発明に係る遊技機によれば、電源供給手段と制御基板との電気的接続を切っても、該制御基板の記憶手段に記憶されている情報が消えるのを防止し得る。
【図面の簡単な説明】
【００１４】
【図１】実施例に係るスロットマシンを示す正面図である。
【図２】実施例に係るスロットマシンの筐体に対して前扉を開放すると共にリール・制御ユニットを非収納位置に回動した状態を示す概略斜視図である。
【図３】実施例に係るスロットマシンの筐体、リール・制御ユニットおよび前扉を分解した概略斜視図である。
【図４】実施例のリール・制御ユニットを後側から見た斜視図である。
【図５】実施例の収納部材からメイン制御装置およびサブ制御装置を分解して後側から見た要部概略斜視図である。
【図６】(ａ)は実施例の収納部材とバックアップユニットとを分解して後左側から見た要部概略斜視図であり、(ｂ)は、バックアップ基板ケースを後右側から見た概略斜視図である。
【図７】実施例の制御基板に対する電源供給関係および各装置との接続関係を示す説明図である。
【図８】(ａ)はメイン制御用電源断処理の流れを示すフローチャートであり、(ｂ)はサブ制御用電源断処理の流れを示すフローチャートである。
【図９】(ａ)はメイン制御用復帰処理の流れを示すフローチャートであり、(ｂ)はサブ制御用復帰処理の流れを示すフローチャートである。
【発明を実施するための形態】
【００１５】
次に、本発明に係る遊技機につき、好適な実施例を挙げて、添付図面を参照して以下に説明する。なお、実施例では、遊技機として、メダル(遊技媒体)を用いてゲーム(遊技)を行うスロットマシンを例に挙げて説明する。また、以下の説明において、「前」、「後」、「左」、「右」とは、特に断りのない限り、図１に示すようにスロットマシンを前側(遊技者側)から見た状態で指称する。
【実施例】
【００１６】
(スロットマシン１０について)
実施例に係るスロットマシン１０は、図１〜図３に示すように、前側に開口する箱状にに形成されて遊技店の図示しない設置枠台に設置される本体としての筐体１１と、該筐体１１の前側に開閉自在に配設された前面部材としての前扉１２とを備えている。また筐体１１には、複数の図柄(図示せず)を周囲に配置した複数(実施例では３つ)のリール１３ａ,１３ｂ,１３ｃを備えたリールユニット１４および各種制御を実行する複数の制御装置１５,１６を備えた制御ユニット１７を有するリール・制御ユニット１８と、メダルを払い出すためのホッパー装置１９が収納配置されている。
【００１７】
(筐体１１について)
前記筐体１１は、天板、底板、左右の側板および背板を相互に組み付けることで前側に開口する箱状に形成された部材であって、該筐体１１の内部に画成された収容空間２０に、前記リール・制御ユニット１８およびホッパー装置１９が収納された状態で、前記前扉１２によって筐体１１の前部開口が閉じられるよう構成される。
【００１８】
(前扉１２について)
前記前扉１２は、前記筐体１１の前部開口を閉成可能な外形サイズに形成されると共に、該筐体１１の左側部に設けられて上下に離間する軸支持部８８(図３参照)に該前扉１２が回動自在に支持されて、前扉１２は、筐体１１の前部開口を閉成する閉成位置と、該筐体１１の前部開口を開放する開放位置との間を回動し得るよう構成されている。また前扉１２は、該前扉１２および筐体１１の右側部に設けられた施錠装置８６によって閉成位置に保持されるよう構成されており、該施錠装置８６の施錠状態を解除することで該前扉１２を開放位置(図２参照)に回動し得るようになっている。
【００１９】
前記前扉１２は、図２に示す如く、上部側に液晶表示装置等の表示装置２１が着脱自在に取り付けられる取付枠部２２を備えると共に、該取付枠部２２の下側には取付枠部２２の前面から前方に突出する操作盤部２３が設けられており、該操作盤部２３に各種スイッチやボタン等が設けられている。表示装置２１は、ゲームの進行に応じて種々の画像や動画等を表示するものであって、取付枠部２２に対して裏側から着脱自在に取り付けられて、該表示装置２１の表示部が取付枠部２２の前後に開口する開口部を介して前側に視認可能に臨むよう構成される。なお、取付枠部２２の開口にはガラス等の透明部材２２ａが配設されて表示装置２１の表示部を保護している(図３参照)。表示装置２１で表示する画像等としては、予め設定された各種の入賞役に当選した時に、当該当選を遊技者に報知するための画像や、遊技者の興趣を向上させるようなキャラクター動画等が挙げられる。また、表示装置２１としては、例えば有機ＥＬ(Electro-Luminescence)等、その他の表示原理が異なる各種装置を用いることができる。
【００２０】
(操作盤部２３について)
前記操作盤部２３は、図１,図３に示す如く、前記前扉１２の幅方向の全長に亘って前記取付枠部２２の前面から前側に延出する上壁部２４と、該上壁部２４の前端縁から下方に延在する前壁部２５と、上壁部２４の左右両端縁から下方に延在すると共に前壁部２５の左右両端縁に接続する左側壁部２６および右側壁部２７とから構成される。操作盤部２３の上壁部２４には、図１,図３に示す如く、右端部側に偏った位置に、メダルを投入するための投入口２９が設けられると共に、左端部側に偏った位置に、スロットマシン１０の記憶手段に電子的に貯留されているクレジットメダルを１回の遊技について投入可能な最大枚数(例えば３枚)投入するＭＡＸ投入ボタン３０が設けられている。なお、実施例のスロットマシン１０では、クレジットメダルを１枚投入する投入ボタン３１が、前記前壁部２５における左端部側に偏った位置に設けられると共に、該投入ボタン３１に隣り合う位置に、前記記憶手段に電子的に貯留されているクレジットメダルや投入されたメダルを精算するための払出しボタン８７が設けられており、該払出しボタン８７を操作することでメダルが払い出されるようになっている。また、上壁部２４には、左右方向の中央に、前記表示装置２１における演出進行の表示内容等の遊技演出やその他各種の演出装置の遊技演出を、押圧操作により切り替えることが可能な演出操作ボタン２８が設けられている。
【００２１】
前記操作盤部２３の前壁部２５には、図１,図３に示す如く、左端部側に偏った位置に、遊技者の操作により前記リール１３ａ,１３ｂ,１３ｃを回転始動させてゲームを開始させるスタートレバー３２が設けられると共に、該前壁部２５の中央には、遊技者の操作により各リール１３ａ,１３ｂ,１３ｃを回転点止させるためのストップボタン３３ａ,３３ｂ,３３ｃが各リール１３ａ,１３ｂ,１３ｃに対応して横並びに設けられている。また、前記前扉１２の下部中央に、前記ホッパー装置１９から払い出されたメダルの排出口３４が設けられると共に、前扉１２の最下部に、該排出口３４から排出されたメダルを貯留する受け皿３５が設けられている。なお、前扉１２の前面には、前記操作盤部２３と受け皿３５との間の領域に、当該スロットマシン１０のモチーフとなるキャラクタ等や機種名等の各種の情報が表示された装飾パネル３６が配設されている。
【００２２】
前記スロットマシン１０では、前記投入口２９にメダルを投入するか、または前記投入ボタン３０,３１を操作すると、メダルが投入されてスタートレバー３２の操作が有効化されるようになっている。そして、有効化されたスタートレバー３２が操作されると、これに伴ってゲームが開始される。また、ゲームが開始されると、メイン制御装置１５において入賞役に当選か否かを決定する入賞役抽選が実行されて複数種類の入賞役の何れかまたははずれが決定されると共に、各リール１３ａ,１３ｂ,１３ｃが回転を開始する。その後、各ストップボタン３３ａ,３３ｂ,３３ｃが操作が有効化され、有効化されたストップボタン３３ａ,３３ｂ,３３ｃが操作されると、操作されたストップボタン３３ａ,３３ｂ,３３ｃに対応するリール１３ａ,１３ｂ,１３ｃの回転が停止される。そして、全てのリール１３ａ,１３ｂ,１３ｃが停止することで１回のゲームが終了し、このゲームの結果、予め定められた入賞役に対応する図柄の組合わせが入賞ライン上に揃った場合は、入賞した入賞役に対応付けられた処理が実行されるようになっている。
【００２３】
ここで、前記入賞役には、所定数のメダルが払い出される小役や、メダルを投入することなくゲームを実行できるリプレイ役や、次回以降に遊技者に有利な特殊ゲームが開始されるボーナス役等、その他各種の入賞役が設定されている。
【００２４】
前記前扉１２における前記取付枠部２２の前面に、前後に開口する開口部をガラス板や透明な合成樹脂材により形成された透明保護板で覆った表示窓部３７ａが設けられた前部装飾ユニット３７が着脱自在に配設されており、該前部装飾ユニット３７の表示窓部３７ａを介して前記表示装置２１の表示部がスロットマシン１０の前側から視認可能に構成される。実施例の表示装置２１は、前記リールユニット１４におけるリール１３ａ,１３ｂ,１３ｃに対応する部位の前側に重ならないように位置しており、各リール１３ａ,１３ｂ,１３ｃの図柄が前記表示窓部３７ａを介してスロットマシン１０の前側から視認し得るようになっている。実施例では、表示窓部３７ａを介してリール１３ａ,１３ｂ,１３ｃに付された複数の各種図柄が、入賞ライン上に揃い得るように縦方向に３つずつ、合計９個の図柄を視認し得るよう構成されている。なお、図１においては、表示窓部３７ａを介して視認可能な表示装置２１は図示省略してある。
【００２５】
前記前部装飾ユニット３７に、表示窓部３７ａの外周を囲繞するようにランプ装置３８(図１参照)が配設されると共に、動作を行う各種の可動演出装置３９(図７参照)が配設されている。また、前記前扉１２には、前記受け皿３５や前記前部装飾ユニット３７の裏側に臨む位置にスピーカ４０が夫々配設されている(図２参照)。そして、前記表示装置２１で実行される表示演出に合わせて、前部装飾ユニット３７に設けたランプ装置３８による発光演出や可動演出装置３９による動作演出および前扉１２に設けたスピーカ４０による音演出等を実行することで興趣を向上し得るようになっている。
【００２６】
(リール・制御ユニット１８について)
前記リール・制御ユニット１８は、図２〜図４に示す如く、リール１３ａ,１３ｂ,１３ｃを備えたリールユニット１４および制御装置１５,１６を備えた制御ユニット１７を支持枠４１に組み付けてユニット化したものであって、前記筐体１１の左側部に設けられて前記前扉１２が支持される前記軸支持部８８を利用して該支持枠４１が回動自在に支持されて、リールユニット１４および制御ユニット１７が筐体１１の収容空間２０に収納された収納位置と、該リールユニット１４および制御ユニット１７が筐体１１の収容空間２０から前側に出された非収納位置(図２参照)との間をリール・制御ユニット１８が回動し得るよう構成されている。またリール・制御ユニット１８は、筐体１１および支持枠４１の右側部に設けられた係止装置８９によって収納位置に係止保持されるよう構成されており、該係止装置８９の係止状態を解除することで該リール・制御ユニット１８を非収納位置に回動し得るようになっている。
【００２７】
(リールユニット１４について)
前記支持枠４１は、図３に示す如く、矩形枠状に形成された下部取付部４１ａと、該下部取付部４１ａの左右両端から上方に所定長さで延在する上部取付部４１ｂ,４１ｂとを備え、下部取付部４１ａに前記リールユニット１４が取り付けられている。このリールユニット１４は、支持枠４１の下部取付部４１ａに取り付けられて前側に開口するリールケース４２の内部に、前記３つのリール１３ａ,１３ｂ,１３ｃが横並びに配置され、各リール１３ａ,１３ｂ,１３ｃは、外周に配置された図柄を上下方向に移動し得るように左右に延在する軸を中心として回転自在に支持されている。なお、リールケース４２は、リール１３ａ,１３ｂ,１３ｃを収容するケース本体４２ａと、該ケース本体４２ａの上下の端縁から外方に延出するフランジ４２ｂ,４２ｂとを備え、ケース本体４２ａを下部取付部４１ａの開口に前側から挿入した状態で、フランジ４２ｂ,４２ｂを下部取付部４１ａに前側からネジ止めすることで、当該リールケース４２はケース本体４２ａが下部取付部４１ａから後方に延出した状態で固定される。そして、リールケース４２のケース本体４２ａによって、後述する収納部材４４に画成される収納室５４の下部開口を塞ぐようになっている(図２,図４参照)。
【００２８】
前記各リール１３ａ,１３ｂ,１３ｃは、前記リールケース４２の内部に配設したステッピングモータなどのパルス制御可能な駆動モータ４３ａ,４３ｂ,４３ｃ(図７参照)によって夫々独立して回転駆動し得るよう構成されている。そして、前記スタートレバー３２が操作されたことを契機として、駆動モータ４３ａ,４３ｂ,４３ｃが回転駆動されて３つのリール１３ａ,１３ｂ,１３ｃが回転を開始し、前記各ストップボタン３３ａ,３３ｂ,３３ｃが操作されたことを契機として、操作された各ストップボタン３３ａ,３３ｂ,３３ｃにより回転停止が対応付けられたリール１３ａ,１３ｂ,１３ｃの駆動モータ４３ａ,４３ｂ,４３ｃが停止するようになっている。
【００２９】
(制御ユニット１７について)
前記制御ユニット１７は、前記支持枠４１におけるリールユニット１４の配設位置より上側において前記上部取付部４１ｂ,４１ｂに取り付けられている。この制御ユニット１７は、図４に示す如く、支持枠４１の上部取付部４１ｂ,４１ｂに後側から取り付けられた収納部材(基板取付部材)４４に、メイン制御装置(第１制御装置)１５およびサブ制御装置(第２制御装置)１６が取り付けられて構成される。メイン制御装置１５は、リール１３ａ,１３ｂ,１３ｃの動作制御および入賞役抽選等の、主としてスロットマシン１０の遊技に関する各種制御を行うためのメイン制御基板(制御基板,第１制御基板)４５を備えている(図７参照)。これに対してサブ制御装置１６は、遊技の進行に応じた画像や動画等の選択、表示装置２１の表示態様やスロットマシン１０に配置されているランプ装置３８の発光態様、スピーカ４０の音出力態様、可動演出装置３９の動作態様等に関する、主にスロットマシン１０における遊技の演出に関する各種制御を行うためのサブ制御基板(制御基板,第２制御基板)４６を備えている(図７参照)。各制御装置１５,１６は、後述するように各種電子部品４５ａ,４５ｂ,４５ｃ,４６ａ,４６ｂ,４６ｃを実装した対応する制御基板４５,４６を基板ケース４７,５７に収納して構成される。
【００３０】
(収納部材４４について)
前記収納部材４４は、図２〜図４に示す如く、略矩形に形成された後壁５１と、該後壁５１における左右の両端縁から前方に向けて延在する左側壁５２および右側壁５３とから構成されて、上下方向および前方に開放する平面視において略コ字状に形成された部材であって、該収納部材４４が前記支持枠４１に後側から着脱自在に取り付けられる。そして、収納部材４４を支持枠４１に取り付けた状態で、前記後壁５１の前側に収納室５４が画成される。収納室５４は、支持枠４１における前記一対の上部取付部４１ｂ,４１ｂの間において前側(サブ制御基板４６の板厚方向の一方)に開放するのに対し、該収納室５４の下部開口は、前記リールケース４２で塞がれるよう構成される。そして、前記筐体１１に対してリール・制御ユニット１８を非収納位置に回動した状態(図２参照)では、該収納室５４は上方および前方に開放するよう構成されており、収納部材４４における収納室５４の上部開口が、前記サブ制御装置１６を収納室５４に対して挿脱する挿脱口５４ａとして機能するようになっている。
【００３１】
(メイン制御装置１５について)
前記メイン制御装置１５は、前記リール１３ａ,１３ｂ,１３ｃを制御する前記メイン制御基板(制御基板)４５を、第１基板ケース(基板ケース)４７に収容保護してケース単位で取り扱い得るようになっている。この第１基板ケース４７は、図５に示す如く、前記収納部材４４における後壁５１の後面に対向するようセットされる皿状の第１ベース体４８と、この第１ベース体４８の開口面側(後側)に対して着脱可能に組み付けられる第１カバー体４９とから構成され、両者共に透明な合成樹脂材により一体成形されて、前記メイン制御基板４５を第１ベース体４８内に敷設状態で収容すると共に、前記第１カバー体４９で覆蓋保護するよう構成される。また、第１基板ケース４７は、第１ベース体４８と第１カバー体４９とをカシメ固定することによってメイン制御基板４５を封入して、該メイン制御基板４５に実装されているＲＯＭ等の電子部品が不正な電子部品に取り替えられる不正行為が行われるのを防止し得るよう構成されている。
【００３２】
前記メイン制御基板４５は、図７に示す如く、制御処理を実行するメイン制御ＣＰＵ４５ａ、該メイン制御ＣＰＵ４５ａが実行する制御プログラムを記憶するメイン制御ＲＯＭ４５ｂ、当該メイン制御ＣＰＵ４５ａの処理に必要なデータの書込み・読出しが可能な記憶手段としてのメイン制御ＲＡＭ４５ｃ等が備えられている。また、メイン制御基板４５には、メイン制御ＣＰＵ４５ａの動作を停止させる契機となるリセット信号を出力するリセット信号回路４５ｄが配設されている。なお、リセット信号回路４５ｄの詳細な機能に関しては、後述するサブ制御基板４６に配設されるリセット信号回路４６ｄの機能を説明する際に併せて説明する。そして、メイン制御基板４５は、メイン制御ＣＰＵ４５ａ,メイン制御ＲＯＭ４５ｂ,メイン制御ＲＡＭ４５ｃ,リセット信号回路４５ｄ等の各種電子部品を実装した実装面が第１カバー体４９と対向し、該実装面とは反対の非実装面を第１ベース体４８に対向する状態で第１基板ケース４７に収納されている。そして、メイン制御装置１５は、前記収納部材４４における後壁５１の後面(外面)に、第１ベース体４８が対向する向きで取り付けられている。すなわち、メイン制御装置１５は、メイン制御基板４５の実装面が後方を向く状態で収納部材４４の後面に取り付けられており、前記筐体１１に対してリール・制御ユニット１８を前記軸支持部８８を支点として前側に回動して該リール・制御ユニット１８を筐体１１の前部開口より前側に臨ませることで(図２参照)、メイン制御装置１５が露出してメイン制御基板４５の実装面が視認可能となるよう構成されている。
【００３３】
前記メイン制御基板４５には、図７に示す如く、前記投入ボタン３０,３１、スタートレバー３２、ストップボタン３３ａ,３３ｂ,３３ｃ、駆動モータ４３ａ,４３ｂ,４３ｃ、ホッパー装置１９等が接続されている。なお、投入ボタン３０,３１、スタートレバー３２、ストップボタン３３ａ,３３ｂ,３３ｃは、該投入ボタン３０,３１、スタートレバー３２、ストップボタン３３ａ,３３ｂ,３３ｃが操作された際に操作信号を出力するスイッチを備えている。そして、メイン制御装置１５のメイン制御基板４５は、投入ボタン３０,３１、スタートレバー３２、ストップボタン３３ａ,３３ｂ,３３ｃ等からの操作信号の入力に基づいて、リール１３ａ,１３ｂ,１３ｃの動作制御および入賞役抽選等の、主としてスロットマシン１０の遊技に関する各種制御を行うよう構成される。なお、ホッパー装置１９は、メダルを所定量だけ貯留可能なタンク１９ａと、該タンク１９ａに貯留されているメダルを払い出す払出し機構部１９ｂとを備えている。ホッパー装置１９は、メダルの払出しの条件が成立すると、払出し機構部１９ｂが作動してタンク１９ａのメダルを払い出すよう構成される。ここで、払出しの条件とは、所定数のメダルが払い出されるよう設定された入賞役の入賞や、前記払出しボタン８７の操作等がある。また、タンク１９ａには、投入口２９から投入されたメダルが貯留されるようになっている。すなわち、スロットマシン１０では、ゲームを行うために投入口２９に投入したメダルをホッパー装置１９に貯留し、該貯留したメダルを払い出し用に用いるようになっている。また、メイン制御基板４５には、入賞役の抽選確率に対応した設定値を変更するための設定変更手段(図示せず)が接続されており、該設定変更手段によって複数段階(例えば６段階)の設定値を変更可能に構成されている。なお、スロットマシン１０では、図示しない設定キースイッチをＯＮ状態としたもとで、後述する電源スイッチ６７をＯＮ操作することで設定変更手段による設定変更が可能な状態になると共に初期化処理がなされて、該設定変更手段による設定操作によって新たに設定された設定値で遊技を行い得るよう設定されている。このように、スロットマシン１０では、設定キースイッチをＯＮ状態としたもとで電源スイッチ６７をＯＮ操作することで初期化処理が行われるので、該操作について以後は初期化操作という場合がある。
【００３４】
前記メイン制御基板４５には、後述する電源基板６１に第１電源線(配線)６５を介して電気的に接続するための第１メイン用基板側コネクタ(第１コネクタ)５０ａおよび後述するバックアップ基板７３にバックアップ用配線(配線)８４を介して電気的に接続するための第２メイン用基板側コネクタ(第２コネクタ)５０ｂが実装されている。実施例では、図４,図５に示す如く、第１メイン用基板側コネクタ５０ａおよび第２メイン用基板側コネクタ５０ｂが、メイン制御基板４５の左端部(支持枠４１の筐体１１に対する枢支側の端部)において上下方向に並んで実装されている。また、前記第１基板ケース４７における第１カバー体４９には、第１メイン用基板側コネクタ５０ａおよび第２メイン用基板側コネクタ５０ｂに対応する位置にコネクタ用開口部(開口部)４９ａが内外に貫通するように夫々形成されており、対応するコネクタ用開口部４９ａ,４９ａから基板側コネクタ５０ａ,５０ｂが外部(後側)に露出するよう構成される。
【００３５】
また、前記メイン制御基板４５には、上端縁側に第１カバー体４９から外部(前側)に露出するようにメイン側コネクタが実装されており、該メイン側コネクタが、前記サブ制御基板４６に実装した後述するサブ側コネクタに電気的に接続されるようになっている。
【００３６】
(サブ制御装置１６について)
前記サブ制御装置１６は、前記表示装置２１、ランプ装置３８、スピーカ４０等の演出装置を制御する前記サブ制御基板４６を、第２基板ケース(基板ケース)５７に収容保護してケース単位で取り扱い得るようになっている。この第２基板ケース５７は、図５に示す如く、前記収納部材４４における後壁５１の前面に対向するようセットされる皿状の第２ベース体５８と、この第２ベース体５８の開口面側(前側)に対して着脱可能に組み付けられる第２カバー体５９とから構成され、両者共に透明な合成樹脂材により一体成形されて、前記サブ制御基板４６を第２ベース体５８内に敷設状態で収容すると共に、前記第２カバー体５９で覆蓋保護するよう構成される。また、第２基板ケース５７は、第２ベース体５８と第２カバー体５９とをカシメ固定することによってサブ制御基板４６を封入して、該サブ制御基板４６に実装されているＲＯＭ等の電子部品が不正な電子部品に取り替えられる不正行為が行われるのを防止し得るよう構成されている。
【００３７】
前記サブ制御基板４６は、図７に示に示す如く、制御処理を実行するサブ制御ＣＰＵ４６ａ、該サブ制御ＣＰＵ４６ａが実行する制御プログラムを記憶するサブ制御ＲＯＭ４６ｂ、当該サブ制御ＣＰＵ４６ａの処理に必要なデータの書込み・読出しが可能な記憶手段としてのサブ制御ＲＡＭ４６ｃ等が備えられている。サブ制御基板４６には、表示装置２１、ランプ装置３８、スピーカ４０、可動演出装置３９の演出装置が接続されると共に、前記演出操作ボタン２８が接続されており、演出操作ボタン２８から操作信号の入力に基づいてサブ制御基板４６(サブ制御ＣＰＵ４６ａ)が演出装置の遊技演出を切り替え得るよう構成されている。
【００３８】
また、前記サブ制御基板４６には、サブ制御ＣＰＵ４６ａの動作を停止させる契機となるリセット信号を出力するリセット信号回路４６ｄが配設されている。前記メイン制御基板４５に配設されている前記リセット信号回路４５ｄおよびサブ制御基板４６に配設されているリセット信号回路４６ｄは、後述する電源基板６１から各リセット信号回路４５ｄ,４６ｄに供給される電圧が、後述する電源スイッチ６７をＯＮからＯＦＦに切換えたときや停電時あるいは瞬停時等によって一定電圧以下(以下、リセット検知電圧という場合がある)になったときに、該リセット信号回路４５ｄ,４６ｄから対応する制御ＣＰＵ４５ａ,４６ａに対してリセット信号を出力(ＯＮ)するよう設定されている。そして、リセット信号の入力を契機として対応する制御ＣＰＵ４５ａ,４６ａは動作が停止するよう設定される。また、リセット信号回路４５ｄ,４６ｄは、電源スイッチ６７をＯＦＦからＯＮに切換えたときや停電時あるいは瞬停時からの復帰により電源基板６１から供給される電圧がリセット検知電圧より低い状態ではリセット信号を出力(ＯＮ)し、該供給電圧がリセット検知電圧以上になったときにリセット信号の出力を停止(ＯＦＦ)するよう設定される。そして、リセット信号の出力停止を契機として対応する制御ＣＰＵ４５ａ,４６ａは、後述する復帰処理(図９参照)を開始(ＣＰＵのセキュリティチェックを行い、プログラムを００００番地からスタートする)よう設定されている。なお、前記リセット信号回路４５ｄ,４６ｄによるリセット信号の出力および出力停止の契機となる電圧の値については、後述する電源断監視回路６９から電源断信号が出力される停電検知電圧との関係で後述することとする。
【００３９】
前記サブ制御基板４６は、サブ制御ＣＰＵ４６ａ,サブ制御ＲＯＭ４６ｂ,サブ制御ＲＡＭ４６ｃ,リセット信号回路４６ｄ等の各種電子部品を実装した実装面が第２カバー体５９と対向し、該実装面とは反対の非実装面を第２ベース体５８に対向する状態で第２基板ケース５７に収納されている。そして、サブ制御装置１６は、前記収納部材４４における後壁５１の前面(内面)に、第２ベース体５８が対向する向きで前記収納室５４に収納された状態で該収納部材４４に取り付けられる。すなわち、サブ制御装置１６は、サブ制御基板４６の実装面が前方を向く状態で収納部材４４の収納室５４に収納されており、該収納部材４４にメイン制御装置１５およびサブ制御装置１６を取り付けた状態で、メイン制御基板４５の非実装面とサブ制御基板４６の非実装面とが収納部材４４の後壁５１を挟んで対向するよう構成される。そして、後壁５１を挟んで前後方向に重なるように取り付けたメイン制御装置１５のメイン制御基板４５と、サブ制御装置１６のサブ制御基板４６とを非実装面同士を対向するようにすることで、両方の制御基板４５,４６の実装面に対して不正にアクセスする行為を行う場合は、不正部材を各制御基板４５,４６における相反する方向を向く実装面側に侵入させる必要があり、時間が掛かるために不正行為者の不正行為を行う意欲を抑制することができる。すなわち、一方の制御装置１５,１６によって他方の制御装置１５,１６における制御基板４５,４６の実装面に対する不正アクセスを困難にすることができるので、一度に複数の制御基板４５,４６(制御装置１５,１６)に対する不正行為が行われるのを抑制し得る。
【００４０】
前記サブ制御基板４６には、後述する電源基板６１に第２電源線(配線)６６を介して電気的に接続するためのサブ用基板側コネクタ６０が実装されている。このサブ用基板側コネクタ６０は、第２カバー体５９に形成されたコネクタ用開口部を介して外部(前側)に露出するよう構成される。実施例では、サブ用基板側コネクタ６０は、サブ制御基板４６の左端部(支持枠４１の筐体１１に対する枢支側の端部)に実装されている(図３参照)。また、サブ制御基板４６には、上端縁側に第２カバー体５９から外部(後側)に露出するようにサブ側コネクタが実装されており、該サブ側コネクタに一端が接続する配線の他端が前記メイン側コネクタに接続されて、両制御基板４５,４６が電気的に接続するよう構成される。メイン側コネクタとサブ側コネクタとは、メイン制御基板４５とサブ制御基板４６との重なり方向に並んで位置している。そして、メイン制御基板４５とサブ制御基板４６とを電気的に接続する両コネクタおよび配線は、第１基板ケース４７および収納部材４４に配設された保護カバー５５によって被覆されて、該コネクタおよび配線に対する不正行為を防止し得るよう構成されている。
【００４１】
ここで、実施例のスロットマシン１０は、前記メイン制御装置１５での入賞役抽選で決定(内部当選)した入賞役に対応する図柄を遊技者に報知したり、決定した入賞役を成立させるストップボタン３３ａ,３３ｂ,３３ｃの停止操作順を遊技者に報知するアシスト(ＡＴ)遊技機能を備えている。そして、メイン制御装置１５で決定した入賞役に対応する図柄や停止操作順の報知を行うか否かの抽選(ＡＴ抽選)は、メイン制御装置１５から送信されるコマンドに基づいてサブ制御装置１６が行うよう構成されている。すなわち、実施例のスロットマシン１０は、メイン制御装置１５のみがメダルの払い出し数に関わる制御を行うものでなく、サブ制御装置１６においてもメダルの払い出し数に関わる制御を一部行うよう構成されている。
【００４２】
前記スロットマシン１０には、遊技場の電源(外部から供給される電源であって、例えば、ＡＣ１００Ｖ)をスロットマシン１０を構成する各種構成部材に供給する電源基板(電源供給手段)６１が、前記筐体１１の収容空間２０に配置されている。この電源基板６１は、電装箱６２に収納されており、該電装箱６２は、図３に示す如く、筐体１１に対する前記リール・制御ユニット１８(支持枠４１)の枢支側(実施例では左側)に位置する左板の内面に沿って配設されている。電装箱６２には、電源基板６１に接続するメイン用電源側コネクタ６３およびサブ用電源側コネクタ６４が、箱上面から上側に突出する状態で配設されており、これら電源側コネクタ６３,６４が、電源線(配線)６５,６６を介して対応する制御基板４５,４６に電気的に接続される(図７参照)。なお、両電源側コネクタ６３,６４は、前後に並んで配置されている。電源基板６１とメイン制御基板４５とを電気的に接続する第１電源線６５は、配線の両端部にメイン用配線側コネクタ６５ａ,６５ａを接続して構成されたものであって、一方のメイン用配線側コネクタ６５ａが前記メイン用電源側コネクタ６３に接続されると共に、他方のメイン用配線側コネクタ６５ａがメイン制御基板４５に実装されている前記第１メイン用基板側コネクタ５０ａに接続されている。また、電源基板６１とサブ制御基板４６とを電気的に接続する第２電源線６６は、配線の両端部にサブ用配線側コネクタ６６ａ,６６ａを接続して構成されたものであって、一方のサブ用配線側コネクタ６６ａが前記サブ用電源側コネクタ６４に接続されると共に、他方のサブ用配線側コネクタ６６ａがサブ制御基板４６に実装されている前記サブ用基板側コネクタ６０に接続される。
【００４３】
前記電源基板６１には、図７に示す如く、電源スイッチ６７が配設され、該スイッチ６７のＯＮ−ＯＦＦ操作によって、電源の入・切が行われる。この電源基板６１には、遊技場の電源を変換処理する電源回路６８が設けられており、該電源回路６８に前記メイン制御基板４５およびサブ制御基板４６が接続されている。そして、電源回路６８で変換処理された電源が対応する制御基板４５,４６に供給されるようになっている。実施例のスロットマシン１０では、前記電源基板６１からメイン制御基板４５およびサブ制御基板４６に供給された電源が、各制御基板４５,４６により制御される前記駆動モータ４３ａ,４３ｂ,４３ｃ、ランプ装置３８、スピーカ４０等の制御対象装置や各種ボタン２８,３０,３１,３３ａ,３３ｂ,３３ｃやレバー３２(具体的には操作信号を出力するスイッチ)に、対応する制御基板４５,４６から夫々供給されるよう構成されている。
【００４４】
前記電源基板６１には、図７に示す如く、電源断を監視する電源断監視回路(電源断監視手段)６９が設けられ、外部電源から供給される電源(以下、監視電源という場合もある)の電圧が一定電圧(以下、停電検知電圧という場合もある)以下になったときに、前記メイン制御基板４５およびサブ制御基板４６に対して、通常の制御から電源断制御に切換えるための電源断信号を出力するよう設定されている。すなわち、電源断監視回路６９は、外部電源から電源基板６１に供給される電源の電圧が低下することで、当該電源基板６１から各制御基板４５,４６に供給される電源の電圧が停電検知電圧以下となったときに、各制御基板４５,４６に電源断信号を出力するようになっている。そして、メイン制御基板４５およびサブ制御基板４６は、電源断信号を受け取ると、バックアップに必要な処理(電源断処理)を実行するようになっている。この電源断処理としては、例えば、バックアップ情報としてレジスタの値やフラグ内容等をＲＡＭに記憶させる処理、バックアップフラグを設定(復電時には、このフラグを基にバックアップ情報に異常がないかの確認を行う)する処理、ＲＡＭに対してのアクセスを禁止する処理等がある。そして、電源断処理終了後、メイン制御基板４５およびサブ制御基板４６は、各制御ＣＰＵ４５ａ,４６ａを停止できる状態(制御ＣＰＵ４５ａ,４６ａの電源停止待機状態)で待機する(プログラムがループしている状態で制御ＣＰＵ４５ａ,４６ａへの電源の供給が途絶えるのを待っている)。なお、前記復電とは、電源スイッチ６７をＯＦＦからＯＮに切換えたときや停電後、あるいは瞬停時に電圧が正規の電圧に達したことを意味する。前記電源断信号は、電源断時において、スロットマシン１０(メイン制御基板４５およびサブ制御基板４６)を、電源供給の開始時(復電時)に電源断状態となる前の遊技状態で復帰させ得る状態で停止させるための処理(電源断処理)を行う契機となる処理信号であり、実施例では電源断を監視する電源断監視回路６９が、スロットマシン１０を停止させるための停止処理信号を出力する停止処理信号出力手段としても機能する。また、前記停電検知電圧は、スロットマシン１０の各種構成部材が動作不能となる電圧より高い値に設定されており、各種構成部材が動作不能となる前にメイン制御ＣＰＵ４５ａおよびサブ制御ＣＰＵ４６ａが夫々電源断処理を実行するようになっている。
【００４５】
ここで、前記メイン制御基板４５のリセット信号回路４５ｄおよびサブ制御基板４６のリセット信号回路４６ｄが電源断時においてリセット信号を出力する契機となるリセット検知電圧は、電源断監視回路６９が電源断信号を出力する契機となる停電検知電圧より低い値に設定されており、電源断時には電源断監視回路６９から電源断信号が出力された後に、リセット信号回路４５ｄ,４６ｄから対応する制御ＣＰＵ４５ａ,４６ａにリセット信号が出力されるようになっている。また、電源断信号が出力された後にリセット信号が出力されるまでの時間が、電源断信号が出力されてから、該電源断信号を契機として開始されるメイン制御基板４５およびサブ制御基板４６の後述するバックアップ処理に必要な時間以上となるように、停電検知電圧およびリセット検知電圧が設定される。なお、電源断時においてリセット信号を出力したリセット信号回路４５ｄ,４６ｄは、所定時間後にリセット信号の出力を停止(ＯＦＦ)するよう設定されている。
【００４６】
(バックアップユニット７１について)
前記収納部材４４に、前記メイン制御基板４５に対してバックアップ用電源を供給するためのバックアップ手段(蓄電手段)としてのコンデンサ７２(例えば電気二重層式が好適に用いられるが、その他の型式も採用可能である)を備えるバックアップユニット７１が配設されている。そして、メイン制御基板４５では、コンデンサ７２から供給されるバックアップ用電源によって、該メイン制御基板４５に配設されている前記メイン制御ＲＡＭ４５ｃに記憶されている制御情報を保持し得るよう構成されている。このバックアップユニット７１は、図６(ａ),(ｂ)に示す如く、前記電源基板６１およびメイン制御基板(制御基板)４５とは別体で構成されてコンデンサ７２が実装されたバックアップ基板７３を、バックアップ基板ケース７４に収納して構成されている。バックアップ基板７３には、コンデンサ７２が実装される実装面に、該コンデンサ７２に電気的に接続するバックアップ基板側コネクタ７３ａが実装されている。また、バックアップ基板ケース７４は、一方に開口する箱状に形成されたものであって、対向する一対の壁(実施例では上下の壁)に内外方向に弾性変形可能な係合爪７５,７５が設けられており、該一対の係合爪７５,７５によってバックアップ基板７３を着脱自在に保持し得るよう構成される。バックアップ基板７３は、バックアップ基板ケース７４の開口と対向する壁側に実装面を向けた姿勢で係合爪７５,７５によって保持されており、該バックアップ基板ケース７４によってコンデンサ７２を保護している。なお、バックアップ基板ケース７４は透明に構成されて、内部を視認可能になっている。またバックアップ基板ケース７４には、放熱用の放熱口７４ａが複数形成されている。
【００４７】
前記バックアップ基板ケース７４には、開口と対向する壁を開口側に近接するように位置させた開口用壁部７６が設けられており、該開口用壁部７６に、内外に貫通するコネクタ用開口部７６ａが形成されている。そして、前記係合爪７５,７５によって保持されているバックアップ基板７３の前記バックアップ基板側コネクタ７３ａが、コネクタ用開口部７６ａから外部に突出するよう構成される(図５参照)。また、バックアップ基板ケース７４には、図６(ａ),(ｂ)に示す如く、前記係合爪７５,７５が形成されている一対の壁とは交差する方向で対向する一対の壁(実施例では前後の壁)の一方に、外方(前側)に延出する差込片７７が設けられると共に、他方には外方(後側)に延出する連結部７８が設けられている。この連結部７８には、後述するネジ８２を挿通するための通孔７８ａが形成されている。
【００４８】
(ユニット取着部７９について)
前記収納部材４４におけるリール・制御ユニット１８(支持枠４１)の筐体１１に対する枢支側に位置する左側壁５２の外面に、前記バックアップユニット７１が着脱自在に取り付けられるユニット取着部７９が設けられている。このユニット取着部７９は、図６(ａ)に示す如く、左側壁５２の外面から外側方に突出する突出壁８０に設けられた差込孔８０ａと、突出壁８０から後側に離間する位置において左側壁５２に形成されたネジ孔８１とを備える。そして、前記バックアップ基板ケース７４に設けた前記差込片７７を差込孔８０ａに差し込んだ状態で、該バックアップ基板ケース７４に設けた前記連結部７８の通孔７８ａに挿通した固定手段としてのネジ８２をネジ孔８１に螺挿することで、バックアップユニット７１は、バックアップ基板ケース７４の開口が左側壁５２で閉塞された状態で該左側壁５２に位置決め固定される。また、ユニット取着部７９は、前記突出壁８０の上下端部から後方に延在するように左側壁５２から外側方に突出する一対の規制壁８３,８３を備え、前記差込孔８０ａに差込片７７を差し込んだバックアップ基板ケース７４の上下両側に規制壁８３,８３が位置して、該バックアップ基板ケース７４(バックアップユニット７１)の上下方向の移動を規制し得るよう構成される。
【００４９】
前記バックアップユニット７１は、前記バックアップ基板７３のバックアップ基板側コネクタ７３ａがコンデンサ７２より後側に位置する状態でユニット取着部７９に取り付けられている。そして、前記収納部材４４の後壁５１(メイン制御装置１５が取り付けられる壁)に近接して位置するバックアップ基板側コネクタ７３ａが、バックアップ用配線(配線)８４を介して前記メイン制御基板４５の第２メイン用基板側コネクタ５０ｂに電気的に接続される。バックアップ用配線８４は、図５に示す如く、配線の両端部に配線側コネクタ８４ａ,８４ａを接続して構成されたものであって、一方の配線側コネクタ８４ａがバックアップ基板側コネクタ７３ａに接続されると共に、他方の配線側コネクタ８４ａが第２メイン用基板側コネクタ５０ｂに接続されることで、コンデンサ７２からメイン制御基板４５のメイン制御ＲＡＭ４５ｃにバックアップ用電源を供給し得るよう構成される。すなわち、閉店時における通常の電源ＯＦＦ時や停電時等の電源断状態によって、電源基板６１に外部電源から電源(電力)が供給されなくなったときに、メイン制御基板４５のメイン制御ＲＡＭ４５ｃに対してコンデンサ７２からバックアップ用電源を供給して、該メイン制御ＲＡＭ４５ｃに記憶されている制御情報を所定の時間(バックアップ時間)だけ保持し得るよう構成される。また、コンデンサ７２は、前記電源基板６１からメイン制御基板４５に供給される電源によって充電されるよう構成されている。
【００５０】
(サブ制御装置用のバックアップ手段について)
前記サブ制御基板４６には、該サブ制御基板４６に実装されているサブ制御ＲＡＭ４６ｃにバックアップ用電源を供給するためのバックアップ手段(蓄電手段)としての電池８５が配設されている(図７参照)。そして、閉店時における通常の電源ＯＦＦ時や停電時等の電源断状態によって、前記電源基板６１に外部電源から電源(電力)が供給されなくなったときには、サブ制御基板４６のサブ制御ＲＡＭ４６ｃに対して電池８５からバックアップ用電源を供給して、該サブ制御ＲＡＭ４６ｃに記憶されている制御情報を所定の時間(バックアップ時間)だけ保持し得るよう構成される。また、サブ制御基板４６は、前記電源断処理において電池８５から供給されるバックアップ用電源によってバックアップ処理を行い得るよう構成される。
【００５１】
(メイン制御ＲＡＭ４５ｃについて)
前記メイン制御基板４５に設けられる前記メイン制御ＲＡＭ(記憶手段)４５ｃには、スロットマシン１０の動作中に適宜書き換えられる各種制御情報(乱数値、タイマ値、フラグ等)が記憶される。また、メイン制御ＲＡＭ４５ｃには、前記各種制御情報を一時的に記憶するためのメモリやエリアの他に、メインバックアップエリアが設けられている。このメインバックアップエリアは、停電等によって電源供給(電力供給)が遮断された場合において、電源供給の開始時(復電時)にスロットマシン１０の状態を電源供給の遮断時の状態(電源断状態となる前の遊技状態)に復帰させるべく、電源供給の遮断時の各種制御情報をバックアップ情報として記憶しておくためのエリアである。本実施例では、遊技に関する制御情報として、入賞役抽選で当選した入賞役に関する情報や、入賞役が継続中である旨等、その他各種の制御情報がメインバックアップエリアにバックアップ情報として記憶される。
【００５２】
前記メインバックアップエリアへの記憶(書き込み)は、電源供給の遮断時(前記電源断信号の入力時)の電源断処理において実行され、該メインバックアップエリアに記憶されたバックアップ情報の読み出しは、電源供給の開始時(復電時)の復電処理において実行される。また、メイン制御ＲＡＭ４５ｃには、前記バックアップユニット７１のコンデンサ７２が接続されており、メイン制御ＲＡＭ４５ｃは、監視電源の遮断時において、コンデンサ７２から供給されるバックアップ用電源によって、前記メインバックアップエリアに記憶されたバックアップ情報を電源供給の遮断後も記憶保持可能に構成される。すなわち、メイン制御基板４５では、電源供給の遮断時における遊技状態や遊技内容をバックアップすることが可能となっている。なお、電源断信号の入力を契機として実行される電源断処理において、メイン制御ＲＡＭ４５ｃに記憶されている制御情報をバックアップ情報として当該メイン制御ＲＡＭ４５ｃのメインバックアップエリアに記憶する処理がバックアップ処理である。
【００５３】
(サブ制御ＲＡＭ４６ｃについて)
前記サブ制御基板４６に設けられる前記サブ制御ＲＡＭ４６ｃには、スロットマシン１０の動作中に適宜書き換えられる各種制御情報(乱数値、タイマ値、フラグ等)が記憶される。また、サブ制御ＲＡＭ４６ｃには、前記各種制御情報を一時的に記憶するためのメモリやエリアの他に、サブバックアップエリアが設けられている。このサブバックアップエリアは、停電等によって電源供給(電力供給)が遮断された場合において、電源供給の開始時(復電時)にスロットマシン１０の状態を電源供給の遮断時の状態(電源断状態となる前の遊技状態)に復帰させるべく、電源供給の遮断時の各種制御情報をバックアップ情報として記憶しておくためのエリアである。本実施例では、遊技に関する制御情報として、ＡＴ遊技機能が有効な状態である旨等、その他各種の制御情報がサブバックアップエリアにバックアップ情報として記憶される。
【００５４】
前記サブバックアップエリアへの記憶(書き込み)は、電源供給の遮断時(前記電源断信号の入力時)の電源断処理において実行され、該サブバックアップエリアに記憶されたバックアップ情報の読み出しは、電源供給の開始時(復電時)の復電処理において実行される。また、前記サブ制御ＲＡＭ４６ｃには、サブ制御基板４６に実装されている前記電池８５が接続されており、サブ制御ＲＡＭ４６ｃは、監視電源の遮断時において、電池８５から供給されるバックアップ用電源によって、前記サブバックアップエリアに記憶されたバックアップ情報を電源供給の遮断後も記憶保持可能に構成されている。すなわち、サブ制御基板４６においても、前記メイン制御基板４５と同様に電源供給の遮断時における遊技状態や遊技内容をバックアップすることが可能となっている。そして、電源断信号の入力を契機として実行される電源断処理において、サブ制御ＲＡＭ４６ｃに記憶されている制御情報をバックアップ情報として当該サブ制御ＲＡＭ４６ｃのサブバックアップエリアに記憶する処理がバックアップ処理である。
【００５５】
(電源断処理について)
次に、電源供給が遮断された際に、メイン制御ＣＰＵ４５ａおよびサブ制御ＣＰＵ４６ａが実行する電源断処理について説明する。
【００５６】
前記メイン制御ＣＰＵ４５ａは、電源断監視回路６９からの電源断信号を入力すると、メイン制御ＲＯＭ４５ｂに記憶された制御プログラムのうちのメイン制御用電源断処理プログラムに基づき、メイン制御用電源断処理を実行する。また、前記サブ制御ＣＰＵ４６ａは、電源断監視回路６９からの電源断信号を入力すると、サブ制御ＲＯＭ４６ｂに記憶された制御プログラムのうちのサブ制御用電源断処理プログラムに基づき、サブ制御用電源断処理を実行する。
【００５７】
前記電源断監視回路６９は、監視電源の電圧が停電検知電圧まで降下したタイミングにおいて、メイン制御ＣＰＵ４５ａおよびサブ制御ＣＰＵ４５ａに電源断信号を出力する。これにより、スロットマシン１０の各種構成部材が動作不能となる前に、メイン制御ＣＰＵ４５ａおよびサブ制御ＣＰＵ４５ａが夫々電源断処理を実行する。なお、電源断監視回路６９から電源断信号が出力された後、前記監視電源の電圧が更に低下して、前記制御基板４５,４６に配設されているリセット信号回路４５ｄ,４６ｄに供給される電圧がリセット検知電圧まで降下したタイミングで、該リセット信号回路４５ｄ,４６ｄから対応する制御ＣＰＵ４５ａ,４６ａに対してリセット信号が夫々出力される。
【００５８】
(メイン制御用電源断処理について)
メイン制御用電源断処理では、図８(ａ)に示す如く、メイン制御ＣＰＵ４５ａは、メイン制御ＲＡＭ４５ｃに記憶保持されている各種制御情報をメイン制御ＲＡＭ４５ｃのメインバックアップエリアにバックアップ情報として記憶保持させる(ステップＡ１１)。その後、メイン制御ＣＰＵ４５ａは、メイン制御ＲＡＭ４５ｃのチェックサムを算出して、メイン制御ＲＡＭ４５ｃのメインバックアップエリアに記憶保持させる(ステップＡ１２)。
【００５９】
次に、メイン制御ＣＰＵ４５ａは、メイン制御ＲＡＭ４５ｃへのアクセスを禁止し、リセット信号回路４５ｄからのリセット信号の入力を待機する。そして、メイン制御ＣＰＵ４５ａは、リセット信号を入力すると、メイン制御ＣＰＵ４５ａの動作を規制する。電源供給が遮断した後は、前記バックアップユニット７１のコンデンサ７２からメイン制御ＲＡＭ４５ｃにバックアップ用電源が供給され、電源断信号の入力を契機としてメインバックアップエリアに記憶されたバックアップ情報は保持される。
【００６０】
(サブ制御用電源断処理について)
サブ制御用電源断処理では、図８(ｂ)に示す如く、サブ制御ＣＰＵ４６ａは、サブ制御ＲＡＭ４６ｃに記憶保持されている各種制御情報をサブ制御ＲＡＭ４６ｃのサブバックアップエリアにバックアップ情報として記憶保持させる(ステップＢ１１)。その後、サブ制御ＣＰＵ４６ａは、サブ制御ＲＡＭ４６ｃのチェックサムを算出して、サブ制御ＲＡＭ４６ｃのサブバックアップエリアに記憶保持させる(ステップＢ１２)。
【００６１】
次に、サブ制御ＣＰＵ４６ａは、サブ制御ＲＡＭ４６ｃへのアクセスを禁止し、リセット信号回路４６ｄからのリセット信号の入力を待機する。そして、サブ制御ＣＰＵ４６ａは、リセット信号を入力すると、サブ制御ＣＰＵ４６ａの動作を規制する。電源供給が遮断した後は、サブ制御基板４６に実装されている前記電池８５からサブ制御ＲＡＭ４６ｃにバックアップ用電源が供給され、電源断信号の入力を契機としてサブバックアップエリアに記憶されたバックアップ情報は保持される。
【００６２】
(復帰処理について)
スロットマシン１０への電源供給が開始された場合は、前記リセット信号回路４５ｄ,４６ｄは、供給電圧が前記リセット検知電圧となるまでの間、対応する制御ＣＰＵ４５ａ,４６ａに対してリセット信号を継続出力する。そして、リセット信号回路４５ｄ,４６ｄへの供給電圧がリセット検知電圧以上となったときに、該リセット信号回路４５ｄ,４６ｄはリセット信号の出力を停止し、該リセット信号の出力停止を契機として各制御ＣＰＵ４５ａ,４６ａにおいて復帰処理プログラムが開始される。
【００６３】
(メイン制御用復帰処理について)
メイン制御ＣＰＵ４５ａは、リセット信号の入力の停止を契機として、メイン制御ＲＯＭ４５ｂに記憶されているメイン制御用復帰処理プログラムに基づき、メイン制御用復帰処理を実行する。このメイン制御用復帰処理では、図９(ａ)に示す如く、メイン制御ＣＰＵ４５ａは、ステップＣ１１において、メイン制御用電源断処理と同じ演算処理で、メイン制御ＲＡＭ４５ｃに記憶保持されている各種制御情報に基づきチェックサムを算出する。そして、メイン制御ＣＰＵ４５ａは、ステップＣ１１で算出したチェックサムと、メイン制御ＲＡＭ４５ｃのメインバックアップエリアに記憶保持されているチェックサムが一致するか否かを判定する(ステップＣ１２)。ステップＣ１２の判定結果が否定の場合は、バックアップされている各種制御情報(バックアップ情報)に異常があると判断し、メイン制御ＣＰＵ４５ａは、ステップＣ１３の処理に移行する。
【００６４】
なお、ステップＣ１２の判定結果が否定となる要因としては、電源供給の遮断時にメイン制御用電源断処理が正常に行われなかった場合や、メイン制御用電源断処理後にノイズ等によって記憶内容に異常が発生した場合等がある。このような場合は、ステップＣ１１にて算出されるチェックサムが異常(異常値)を示すことになる。その他にも、電源供給が遮断されていない場合、すなわちメイン制御ＣＰＵ４５ａが再起動した場合等があり、この場合には、メイン制御用電源断処理を実行していないことから、チェックサム自体が記憶保持されていない。
【００６５】
前記ステップＣ１２の判定結果が否定の場合は、メイン制御ＣＰＵ４５ａはＲＡＭ異常と判定して、ステップＣ１３においてエラー処理を行う。このエラー処理では、メダルの投入を受け付けないと共に、投入ボタン３０,３１およびスタートレバー３２の操作信号を受け付けないようにする遊技の進行不能化制御を行うと共に、ＲＡＭ異常エラーを報知する。そして、このエラー処理は、前記設定変更手段による設定変更を可能とするための前記初期化操作が行われるまで(ステップＣ１４が肯定されるまで)ループし、ステップＣ１４の肯定判定によってループが解除されて、ステップＣ１５に移行する。ステップＣ１５においてメイン制御ＣＰＵ４５ａは、メイン制御ＲＡＭ４５ｃに記憶保持されていた各種制御情報を消去(ＲＡＭクリア)する。その後、メイン制御ＣＰＵ４５ｃは、スロットマシン１０を予め設定されたデフォルト状態とするための初期情報設定を行い、スロットマシン１０を起動させる(ステップＣ１６)。また、メイン制御ＣＰＵ４５ａは、ステップＣ１６で設定した初期情報に対応する初期情報設定コマンドをサブ制御ＣＰＵ４６ａに出力(ステップＣ１７)してメイン制御用復帰処理を終了し、初期状態(デフォルト状態)とする。
【００６６】
一方、ステップＣ１２が肯定の場合、すなわちバックアップ情報が正しい場合、メイン制御ＣＰＵ４５ａは、記憶保持されているバックアップ情報に基づきスロットマシン１０を起動させる(ステップＣ１８)。また、メイン制御ＣＰＵ４５ａは、メイン制御ＲＡＭ４５ｃに記憶管理される制御情報を指定する復帰制御コマンドをサブ制御ＣＰＵ４６ａに出力する(ステップＣ１９)。そして、メイン制御ＣＰＵ４５ａは、メイン制御用復帰処理を終了し、電源供給の遮断前の遊技状態に復帰させる。
【００６７】
(サブ制御用復帰処理について)
サブ制御ＣＰＵ４６ａは、リセット信号の入力の停止を契機として、サブ制御ＲＯＭ４６ｂに記憶されているサブ制御用復帰処理プログラムに基づき、サブ制御復帰処理を実行する。このサブ制御用復帰処理では、図９(ｂ)に示す如く、サブ制御ＣＰＵ４６ａは、ステップＤ１１において、サブ制御用電源断処理と同じ演算処理で、サブ制御ＲＡＭ４６ｃに記憶保持されている各種制御情報に基づきチェックサムを算出する。そして、サブ制御ＣＰＵ４６ａは、ステップＤ１１で算出したチェックサムと、サブ制御ＲＡＭ４６ｃのサブバックアップエリアに記憶保持されているチェックサムが一致するか否かを判定する(ステップＤ１２)。ステップＤ１２の判定結果が否定の場合は、バックアップされている各種制御情報(バックアップ情報)に異常があると判断し、サブ制御ＣＰＵ４６ａは、ステップＤ１３の処理に移行する。
【００６８】
なお、ステップＤ１２の判定結果が否定となる要因としては、前記メイン制御用復帰処理のステップＣ１２に関して説明した場合と同様に、電源供給の遮断時にサブ制御用電源断処理が正常に行われなかった場合や、サブ制御用電源断処理後にノイズ等によって記憶内容に異常が発生した場合等がある。このような場合は、ステップＤ１１にて算出されるチェックサムが異常(異常値)を示すことになる。その他にも、電源供給が遮断されていない場合、すなわちサブ制御ＣＰＵ４６ａが再起動した場合等があり、この場合には、サブ制御用電源断処理を実行していないことから、チェックサム自体が記憶保持されていない。
【００６９】
前記ステップＤ１２の判定結果が否定の場合は、ステップＤ１３においてサブ制御ＣＰＵ４６ａは、サブ制御ＲＡＭ４６ｃに記憶保持されていた各種制御情報を消去(ＲＡＭクリア)する。その後、サブ制御ＣＰＵ４６ａは、各種初期設定を行い、メイン制御ＣＰＵ４５ａが出力した初期情報制御コマンドが入力するまで待機し、初期情報制御コマンドを入力すると、スロットマシン１０を起動させる(ステップＤ１４)。また、サブ制御ＣＰＵ４６ａは、ステップＤ１４で設定した各種初期設定に対応する制御コマンドを制御対象となる各演出装置に出力(ステップＤ１５)してサブ制御用復帰処理を終了し、初期状態(デフォルト状態)とする。
【００７０】
一方、ステップＤ１２が肯定の場合、すなわちバックアップされていたバックアップ情報が正しい場合、サブ制御ＣＰＵ４６ａは、メイン制御ＣＰＵ４５ａが出力した復帰制御コマンドが入力するまで待機し、復帰制御コマンドを入力すると、当該復帰制御コマンドから特定可能な制御情報とサブ制御ＲＡＭ４６ｃに記憶保持されている制御情報とが一致するか否かを判定する(ステップＤ１６)。すなわち、サブ制御ＣＰＵ４６ａは、ステップＤ１６において、サブ制御ＲＡＭ４６ｃのサブバックアップエリアに記憶保持している制御情報(バックアップ情報)と、メイン制御ＲＡＭ４５ｃのメインバックアップエリアに記憶保持している制御情報(バックアップ情報)とが正しいか否かを判定する。
【００７１】
そして、ステップＤ１６の判定結果が否定の場合、すなわちサブ制御ＲＡＭ４６ｃにて記憶保持されているバックアップ情報とメイン制御ＲＡＭ４５ｃにて記憶保持されているバックアップ情報とが一致しない場合、サブ制御ＣＰＵ４６ａは、ステップＤ１３へ移行して前述した処理を行う。
【００７２】
前記ステップＤ１６の判定結果が肯定の場合、すなわちバックアップされていたバックアップ情報が正しい場合、サブ制御ＣＰＵ４６ａは、記憶保持しているバックアップ情報に基づきスロットマシン１０を起動させる(ステップＤ１７)。その後、サブ制御ＣＰＵ４６ａは、サブ制御ＲＡＭ４６ｃにて記憶管理されている制御情報を指定するサブ用復帰制御コマンドを各演出装置に出力し(ステップＤ１８)、サブ制御用復帰処理を終了して電源供給の遮断前の遊技状態に復帰させる。
【００７３】
(実施例の作用)
次に、前述のように構成された実施例に係るスロットマシン１０の作用につき説明する。
【００７４】
前記スロットマシン１０においてメイン制御装置１５やサブ制御装置１６のメンテナンスを行う場合は、前記電源基板６１に設けられている電源スイッチ６７をＯＮからＯＦＦに切換える。電源スイッチ６７のＯＦＦにより、外部電源からの電源(電力)の供給が停止し、前記電源断監視回路６９からメイン制御基板４５およびサブ制御基板４６に対して電源断信号が出力される。メイン制御基板４５およびサブ制御基板４６は、電源断信号の入力を契機として、バックアップに必要な処理を実行する。すなわち、前記バックアップユニット７１のコンデンサ７２からメイン制御基板４５にバックアップ用電源が供給され、該メイン制御基板４５でのバックアップ処理が正常に行われる。また、サブ制御基板４６に実装されている前記電池８５から供給されるバックアップ用電源によって、当該サブ制御基板４６においてもバックアップ処理が正常に行われる。そして、バックアップ処理によってメイン制御ＲＡＭ４５ｃのメインバックアップエリアに記憶されたバックアップ情報は、前記コンデンサ７２から供給されるバックアップ用電源により保持される。また、バックアップ処理によってサブ制御ＲＡＭ４６ｃのサブバックアップエリアに記憶されたバックアップ情報は、前記電池８５から供給されるバックアップ用電源により保持される。
【００７５】
前記電源基板６１から各リセット信号回路４５ｄ,４６ｄに供給される電圧が、リセット検知電圧以下になったときに、該リセット信号回路４５ｄ,４６ｄから対応する制御ＣＰＵ４５ａ,４６ａに対してリセット信号が夫々出力される。なお、リセット検知電圧は、前述したように停電検知電圧より低い値に設定されており、リセット信号は、前記電源断監視回路６９から電源断信号が出力された後であって、前記メイン制御基板４５およびサブ制御基板４６のバックアップ処理に必要な時間を経過後にリセット信号回路４５ｄ,４６ｄから出力される。そして、各制御ＣＰＵ４５ａ,４６ａは、リセット信号の入力を契機として動作を停止する処理を実行する。
【００７６】
実施例のスロットマシン１０では、前記電源基板６１とメイン制御基板４５とを電気的に接続する第１電源線６５とは別のバックアップ用配線８４を介して該メイン制御基板４５とバックアップ基板７３(コンデンサ７２)とを接続するよう構成したので、第１電源線６５のメイン用配線側コネクタ６５ａを第１メイン用基板側コネクタ５０ａまたはメイン用電源側コネクタ６３から抜き外しても、コンデンサ７２からのバックアップ用電源はバックアップ用配線８４を介してメイン制御ＲＡＭ４５ｃに供給される。すなわち、メンテナンス等に際して電源基板６１とメイン制御基板４５との電気的な接続を切っても、メイン制御基板４５のメイン制御ＲＡＭ４５ｃに記憶されているバックアップ情報を保持することができる。
【００７７】
前記第１電源線６５のメイン用配線側コネクタ６５ａが接続される第１メイン用基板側コネクタ５０ａおよびバックアップ用配線８４の配線側コネクタ８４ａが接続される第２メイン用基板側コネクタ５０ｂを、図５に示す如く、前記メイン制御基板４５に並べて実装しているので、該メイン制御基板４５においてメイン制御ＲＡＭ４５ｃに電源を供給する回路構成を簡略化することができる。
【００７８】
前記第１メイン用基板側コネクタ５０ａは、メイン制御基板４５に対し、該メイン制御基板４５が取り付けられているリール・制御ユニット１８(収納部材４４)における前記筐体１１に対する枢支側の端部に実装してあるので、該リール・制御ユニット１８を筐体１１に対して収納位置と非収納位置との間で回動する際に、筐体１１の収容空間２０内に配置されている電源基板６１(電装箱６２)とメイン制御基板４５とを接続する第１電源線６５が変位する量を小さくすることができる。すなわち、リール・制御ユニット１８の回動を許容するために必要となる第１電源線６５の余裕分を小さくすることができ、該第１電源線６５の引き回し処理が容易となる。また、前記サブ用基板側コネクタ６０は、サブ制御基板４６に対し、該サブ制御基板４６が取り付けられているリール・制御ユニット１８(収納部材４４)における筐体１１に対する枢支側の端部に実装してあるので、該リール・制御ユニット１８を筐体１１に対して収納位置と非収納位置との間で回動する際に、筐体１１の収容空間２０内に配置されている電源基板６１(電装箱６２)とサブ制御基板４６とを接続する第２電源線６６が変位する量を小さくすることができる。すなわち、リール・制御ユニット１８の回動を許容するために必要となる第２電源線６６の余裕分を小さくすることができ、該第２電源線６６の引き回し処理が容易となる。
【００７９】
前記バックアップユニット７１を、前記メイン制御基板４５が取り付けられる前記収納部材４４に配設してバックアップ基板７３とメイン制御基板４５とを近接しているので、両基板４５,７３を接続するバックアップ用配線８４の接続状態の確認が容易となる。また実施例では、収納部材４４にメイン制御装置１５を取り付けた状態で、前記メイン制御基板４５における第２メイン用基板側コネクタ５０ｂが実装される端部側に近接してバックアップユニット７１を収納部材４４に取り付けているので、バックアップ基板７３とメイン制御基板４５とをより近接することができる。更に、前記収納部材４４の外面(後面および左側面)にメイン制御基板４５とバックアップ基板７３を取り付けているので、前記筐体１１に対してリール・制御ユニット１８を非収納位置に回動した状態で、両基板４５,７３が筐体１１の前側に露出するので、両基板４５,７３に対するバックアップ用配線８４の接続状態をより簡単に確認することができる。
【００８０】
また、前記バックアップユニット７１を、メイン制御基板４５および電源基板６１とは独立して収納部材４４に対して着脱し得るので、コンデンサ７２の劣化等によって交換が必要となった場合の交換作業が容易である。
【００８１】
(変更例)
本願発明は、前述した実施例の構成に限定されるものではなく、その他の構成を適宜に採用することができる。
(1) 実施例では、メイン制御基板にバックアップ用電源を供給するバックアップ手段としてコンデンサを用いたが、電池であってもよい。
(2) 実施例では、サブ制御基板にバックアップ用電源を供給する電池を該サブ制御基板に実装するよう構成したが、該サブ制御基板とは別に構成したバックアップ基板に実装したコンデンサから該サブ制御基板(サブ制御ＲＡＭ)にバックアップ用電源を供給する構成を採用し得る。すなわち、実施例におけるメイン制御基板とバックアップユニットとの関係を、サブ制御基板に適用することができる。
(3) 実施例では、共通の部材(収納部材)にメイン制御基板とバックアップユニット(バックアップ基板)とを取り付けるよう構成したが、メイン制御基板とバックアップユニット(バックアップ基板)とを別々の部材に取り付けるようにしてもよい。
(4) 実施例では、メイン制御基板およびバックアップユニット(バックアップ基板)を取り付ける部材(収納部材)を筐体に対して回動自在に配設した場合で説明したが、該部材を筐体に固定したり、またはメイン制御基板およびバックアップユニット(バックアップ基板)を直に筐体に取り付ける構成を採用し得る。
【００８２】
(5) 実施例では、リールユニットが配設された支持枠に制御ユニットを配設したが、制御ユニットをリールユニットとは別に筐体に回動自在に配設する構成を採用し得る。すなわち、制御装置が取り付けられている収納部材(基板取付部材)を、筐体に対して単独で回動自在に枢支する構成であってもよい。
(6) 実施例では、メイン制御基板およびサブ制御基板の夫々にリセット信号回路を設けた場合で説明したが、電源基板にリセット信号回路を設け、電源断監視回路からリセット信号回路に電源断信号を出力するよう構成し、該リセット信号回路が、電源断信号の入力後であってバックアップ処理に必要な時間が経過した後にメイン制御基板およびサブ制御基板に対してリセット信号を夫々出力するよう構成してもよい。
(7) 実施例では、各種の報知や演出のための動画等を表示可能な表示装置を設けたスロットマシンを挙げたが、該表示装置を備えていないものであってもよい。
(8) 遊技機としては、メダルを用いるスロットマシンに限られるものではなく、遊技媒体としてパチンコ球(遊技球)を用いたパチンコ機やアレンジボール機、あるいはパチンコ球を用いたスロットマシン等、その他各種の遊技機であってもよい。すなわち、パチンコ機は、遊技店の設置枠台に固定される固定枠としての外枠の開口前面側に、遊技盤を着脱可能に保持する本体枠としての中枠が開閉および着脱可能に組み付けられ、該中枠の前面側に、遊技盤を透視可能に保護する装飾枠としての前枠が開閉可能に組み付けられると共に、該中枠の後側に、パチンコ機の遊技や演出に係る各種制御情報を記憶する記憶手段を備えて、遊技や演出に係る制御を行う制御基板(メイン制御基板、サブ制御基板)および該制御基板に外部電源からの電源を供給する電源基板が取り付けられている。そこで、パチンコ機の中枠の後側に取り付けられる制御基板(記憶手段)に対する電源基板との接続構成やバックアップ用電源の供給構造として、実施例の構造を採用することができる。
【符号の説明】
【００８３】
１１ 筐体
２０ 収納空間
４４ 収納部材(基板取付部材)
４５ メイン制御基板(制御基板)
４５ｃ メイン制御ＲＡＭ(記憶手段)
５０ａ 第１メイン用基板側コネクタ(第１コネクタ)
５０ｂ 第２メイン用基板側コネクタ(第２コネクタ)
６１ 電源基板(電源供給手段)
６９ 電源断監視回路(電源断監視手段)
７２ コンデンサ(バックアップ手段、蓄電手段)
７３ バックアップ基板
７３ａ バックアップ基板側コネクタ
７４ バックアップ基板ケース
７５ 係合爪
７９ ユニット取着部(取着部)
８４ バックアップ用配線(配線)
【図１】
0006298380.tif 000002
【図２】
0006298380.tif 000003
【図３】
0006298380.tif 000004
【図４】
0006298380.tif 000005
【図５】
0006298380.tif 000006
【図６】
0006298380.tif 000007
【図７】
0006298380.tif 000008
【図８】
0006298380.tif 000009
【図９】
0006298380.tif 000010